(57)【要約】      （修正有）【課題】人物が写っていない画像に対しても特定の部分を印象強くした画像を生成できるようにする。【解決手段】撮像装置側で、画像データの中から高輝度ピクセルを検出し、検出した高輝度ピクセルから構成される孤立点領域を含む画像領域を所定の色及び所定の形状に置き換えた特色画像データを生成する。そして、前記画像データから単色画像データを生成し、印刷装置に送信するようにして、人物が写っていない画像に対しても印象の強い印画物を得ることができるようにする。【選択図】図２１
2008283574.tif 000002
【特許請求の範囲】
【請求項１】
画像データの中から、少なくとも１つの高輝度ピクセルを検出する高輝度ピクセル検出手段と、
前記高輝度ピクセル検出手段によって検出された少なくとも１つの高輝度ピクセルから構成される孤立点領域を抽出する孤立点領域抽出手段と、
前記孤立点領域抽出手段によって抽出された孤立点領域を含む画像領域を所定の色の画像及び所定の形状の画像のうち少なくとも何れかに置き換えるための特色画像データを生成する特色画像データ生成手段とを有することを特徴とする画像処理装置。
【請求項２】
前記孤立点領域抽出手段は、前記少なくとも１つの高輝度ピクセルで構成される点を囲う輪郭線の形状を判断して前記孤立点領域を抽出することを特徴とする請求項１に記載の画像処理装置。
【請求項３】
前記特色画像データ生成手段は、二値で構成される信号データとして前記特色画像データを生成することを特徴とする請求項１または２に記載の画像処理装置。
【請求項４】
前記所定の色は、光沢色、または蛍光色の何れかであることを特徴とする請求項１〜３の何れか１項に記載の画像処理装置。
【請求項５】
前記特色画像データ生成手段は、前記画像データが生成された撮影モードによって、変換するか否かを決定することを特徴とする請求項１〜４の何れか１項に記載の画像処理装置。
【請求項６】
前記特色画像データ生成手段によって生成された特色画像データと前記画像データとを合成して印刷を行う印刷手段を有することを特徴とする請求項１〜５の何れか１項に記載の画像処理装置。
【請求項７】
前記所定の形状は、星型または十字型の形状であることを特徴とする請求項１〜６の何れか１項に記載の画像処理装置。
【請求項８】
画像データの中から、複数の高輝度ピクセルを検出する高輝度ピクセル検出手段と、
前記高輝度ピクセル検出手段によって検出された複数の高輝度ピクセルをグループ化した領域を抽出する領域抽出手段と、
前記領域抽出手段によって抽出された領域を所定色の特定図形へ置き換える特色置換手段と、
前記特色置換手段によって置き換えられた前記所定色の特定図形を、二値で構成される信号データに変換して特色画像データを生成する特色画像データ生成手段と、
前記特色画像データ生成手段によって生成された特色画像データを前記画像データに上書きして印刷する印刷手段とを有することを特徴とする画像処理装置。
【請求項９】
前記特色置換手段は、前記所定の色を印刷するためのカセットが前記画像処理装置に装着されているときに置き換えを行うことを特徴とする請求項８に記載の画像処理装置。
【請求項１０】
前記特色置換手段は、画像データに付随する撮影情報に応じて特定図形を変更することを特徴とする請求項８に記載の画像処理装置。
【請求項１１】
前記特色置換手段は、置き換えに使用する図形の形状または大きさを、元の領域の形状または輝度条件に応じて変更することを特徴とする請求項８に記載の画像処理装置。
【請求項１２】
前記特色置換手段は、元の領域より大きく上書きすることを特徴とする請求項１１に記載の画像処理装置。
【請求項１３】
画像データの中から、少なくとも１つの高輝度ピクセルを検出する高輝度ピクセル検出工程と、
前記高輝度ピクセル検出工程において検出した少なくとも１つの高輝度ピクセルから構成される孤立点領域を抽出する孤立点領域抽出工程と、
前記孤立点領域抽出工程において抽出した孤立点領域を含む画像領域を所定の色の画像及び所定の形状の画像のうち少なくとも何れかに置き換えるための特色画像データを生成する特色画像データ生成工程とを有することを特徴とする画像処理方法。
【請求項１４】
画像データの中から、複数の高輝度ピクセルを検出する高輝度ピクセル検出工程と、
前記高輝度ピクセル検出工程において検出した複数の高輝度ピクセルをグループ化した領域を抽出する領域抽出工程と、
前記領域抽出工程において抽出した領域を所定色の特定図形へ置き換える特色置換工程と、
前記特色置換工程において置き換えた前記所定色の特定図形を、二値で構成される信号データに変換して特色画像データを生成する特色画像データ生成工程と、
前記特色画像データ生成工程において生成した特色画像データを前記画像データに上書きして印刷する印刷工程とを有することを特徴とする画像処理方法。
【請求項１５】
画像データの中から、少なくとも１つの高輝度ピクセルを検出する高輝度ピクセル検出工程と、
前記高輝度ピクセル検出工程において検出した少なくとも１つの高輝度ピクセルから構成される孤立点領域を抽出する孤立点領域抽出工程と、
前記孤立点領域抽出工程において抽出した孤立点領域を含む画像領域を所定の色の画像及び所定の形状の画像のうち少なくとも何れかに置き換えるための特色画像データを生成する特色画像データ生成工程とをコンピュータに実行させることを特徴とするプログラム。
【請求項１６】
画像データの中から、複数の高輝度ピクセルを検出する高輝度ピクセル検出工程と、
前記高輝度ピクセル検出工程において検出した複数の高輝度ピクセルをグループ化した領域を抽出する領域抽出工程と、
前記領域抽出工程において抽出した領域を所定色の特定図形へ置き換える特色置換工程と、
前記特色置換工程において置き換えた前記所定色の特定図形を、二値で構成される信号データに変換して特色画像データを生成する特色画像データ生成工程と、
前記特色画像データ生成工程において生成した特色画像データを前記画像データに上書きして印刷する印刷工程とをコンピュータに実行させることを特徴とするプログラム。
【請求項１７】
請求項１５または１６に記載のプログラムを記録したことを特徴とするコンピュータ読み取り可能な記録媒体。
【発明の詳細な説明】
【技術分野】
【０００１】
本発明は画像処理装置、画像処理方法、プログラム、及び記録媒体に関し、特に、画像データを画像処理して印刷を行うために用いて好適な技術に関する。
【背景技術】
【０００２】
近年、簡単な操作で画像を撮影し、その撮影した画像をデジタル画像データに変換できるデジタルカメラ（撮像装置）が広く使用されるようになってきている。このようなカメラで撮影した画像を印刷して写真として使用する場合には、通常、その撮影されたデジタル画像データを、デジタルカメラからＰＣ（パーソナルコンピュータ）にいったん取り込む。そして、そのＰＣで画像処理を行った後に、そのＰＣからカラープリンタに出力して印刷するのが一般的である。
【０００３】
これに対して、最近は、ＰＣを介することなく、デジタルカメラからカラープリンタにデジタル画像データを直接伝送して印刷できるカラープリントシステム（以降ダイレクト印刷と称する）が開発されている。また、その撮像した画像を記憶しているメモリカードをデジタルカメラから取り外してカラープリンタに直接装着し、そのメモリカードに記憶されている撮影された画像を印刷できる写真専用プリンタも開発されている。
【０００４】
このように最近では、ダイレクト印刷が行われるようになったため、撮影した画像に画像処理を施したい場合には、画像処理した画像データをデジタルカメラからカラープリンタに直接送る必要があった。そこで、例えば特許文献１には、カメラ付きの携帯端末装置から人物の顔を含む顔画像を表す顔画像データを受信し、受信した顔画像データを用いて合成画像データを生成して、携帯端末装置に合成画像データを送信する画像生成装置が開示されている。
【０００５】
前記特許文献１に記載の技術によれば、携帯端末装置等から入力された顔画像から目の位置を検出して、前記顔画像に星画像を合成することが可能である。具体的には、パソコンまたは顔パーツ検出部から入力したデータを元に、前記星画像の配置位置、サイズ、明るさ等を規定し、前記顔画像と星画像とを合成して、携帯端末装置に送信している。これにより、顔画像の目や口を印象強くすることができる。携帯端末装置の所有者が、合成した顔画像を印刷したい場合には、このように合成した画像データをカラープリンタに直接送ればよい。
【０００６】
【特許文献１】特開２００５−３８１９１号公報
【発明の開示】
【発明が解決しようとする課題】
【０００７】
しかしながら、前記特許文献１に記載の技術では、顔の特徴量抽出を行って目や口の検出を行っているため、例えば風景画像などのような人物が写っていない画像に対しては印象強くする画像を合成することができない。このため、人物が写っていない画像に対しては特定の部分を印象強くした画像を生成することができないという問題点があった。
【０００８】
本発明は前述の問題点に鑑み、人物が写っていない画像に対しても特定の部分を印象強くした画像を生成できるようにすることを目的としている。
【課題を解決するための手段】
【０００９】
本発明の画像処理装置は、画像データの中から、少なくとも１つの高輝度ピクセルを検出する高輝度ピクセル検出手段と、前記高輝度ピクセル検出手段によって検出された少なくとも１つの高輝度ピクセルから構成される孤立点領域を抽出する孤立点領域抽出手段と、前記孤立点領域抽出手段によって抽出された孤立点領域を含む画像領域を所定の色の画像及び所定の形状の画像のうち少なくとも何れかに置き換えるための特色画像データを生成する特色画像データ生成手段とを有することを特徴とする。
また、本発明の画像処理装置の他の特徴とするところは、画像データの中から、複数の高輝度ピクセルを検出する高輝度ピクセル検出手段と、前記高輝度ピクセル検出手段によって検出された複数の高輝度ピクセルをグループ化した領域を抽出する領域抽出手段と、前記領域抽出手段によって抽出された領域を所定色の特定図形へ置き換える特色置換手段と、前記特色置換手段によって置き換えられた前記所定色の特定図形を、二値で構成される信号データに変換して特色画像データを生成する特色画像データ生成手段と、前記特色画像データ生成手段によって生成された特色画像データを前記画像データに上書きして印刷する印刷手段とを有することを特徴とする。
【００１０】
本発明の画像処理方法は、画像データの中から、少なくとも１つの高輝度ピクセルを検出する高輝度ピクセル検出工程と、前記高輝度ピクセル検出工程において検出した少なくとも１つの高輝度ピクセルから構成される孤立点領域を抽出する孤立点領域抽出工程と、前記孤立点領域抽出工程において抽出した孤立点領域を含む画像領域を所定の色の画像及び所定の形状の画像のうち少なくとも何れかに置き換えるための特色画像データを生成する特色画像データ生成工程とを有することを特徴とする。
また、本発明の画像処理方法の他の特徴とするところは、画像データの中から、複数の高輝度ピクセルを検出する高輝度ピクセル検出工程と、前記高輝度ピクセル検出工程において検出した複数の高輝度ピクセルをグループ化した領域を抽出する領域抽出工程と、前記領域抽出工程において抽出した領域を所定色の特定図形へ置き換える特色置換工程と、前記特色置換工程において置き換えた前記所定色の特定図形を、二値で構成される信号データに変換して特色画像データを生成する特色画像データ生成工程と、前記特色画像データ生成工程において生成した特色画像データを前記画像データに上書きして印刷する印刷工程とを有することを特徴とする。
【００１１】
本発明のプログラムは、画像データの中から、少なくとも１つの高輝度ピクセルを検出する高輝度ピクセル検出工程と、前記高輝度ピクセル検出工程において検出した少なくとも１つの高輝度ピクセルから構成される孤立点領域を抽出する孤立点領域抽出工程と、前記孤立点領域抽出工程において抽出した孤立点領域を含む画像領域を所定の色の画像及び所定の形状の画像のうち少なくとも何れかに置き換えるための特色画像データを生成する特色画像データ生成工程とをコンピュータに実行させることを特徴とする。
また、本発明のプログラムの他の特徴とするところは、画像データの中から、複数の高輝度ピクセルを検出する高輝度ピクセル検出工程と、前記高輝度ピクセル検出工程において検出した複数の高輝度ピクセルをグループ化した領域を抽出する領域抽出工程と、前記領域抽出工程において抽出した領域を所定色の特定図形へ置き換える特色置換工程と、前記特色置換工程において置き換えた前記所定色の特定図形を、二値で構成される信号データに変換して特色画像データを生成する特色画像データ生成工程と、前記特色画像データ生成工程において生成した特色画像データを前記画像データに上書きして印刷する印刷工程とをコンピュータに実行させることを特徴とする。
【００１２】
本発明の記録媒体は、前記の何れかに記載のプログラムを記録したことを特徴とする。
【発明の効果】
【００１３】
本発明によれば、画像データの中から少なくとも１つの高輝度ピクセルを検出する。そして、前記検出した高輝度ピクセルから構成される孤立点領域を含む画像領域を所定の色の画像及び所定の形状の画像のうち少なくとも何れかに置き換えるための特色画像データを生成するようにした。これにより、特定の部分を印象強くすることができる。したがって、人物が写っていない画像に対しても印象の強い印画物を得ることができる。
【発明を実施するための最良の形態】
【００１４】
（第１の実施形態）
以下、添付の図面を参照しながら、本発明の詳細な実施形態について説明する。
図１は、本実施形態の全体構成の一例を示す外観図である。
印刷装置１及び撮像装置２は、それぞれのインターフェース１０１、２１６を介して、インターフェースケーブル３０１経由で互いに接続されている。撮像装置２側のメモリカードスロット４は、撮影画像を保存する不図示のメモリカードを装着するためのものである。一方、印刷装置１側のメモリカードスロット５は、印刷装置１に対して、印刷用の画像データが保存されている不図示のメモリカードを装着するものである。
【００１５】
入力部１０５は、印刷装置１の操作を行うためのユーザインターフェースを指す。第１の表示部１０６は、前記ユーザインターフェースをＬＣＤ画面に表示するものであり、第２の表示部１０８は、印刷装置１のエラーステータスなどを示すためのＬＥＤである。
【００１６】
プリント実行ボタン１２３は、メモリカードスロット５に不図示のメモリカードが装着されているときに、印刷の開始を指示するためのものであり、電源スイッチ１２４は、印刷装置１のメイン電源スイッチである。給紙トレイ１２０は、不図示の未印画の印画媒体を載せ、印刷が開始されたときに供給するためのものであり、排紙口１２１は、印刷が完了した印画紙を排紙するための出口である。
【００１７】
次に、撮像装置２の構成について説明する。光学系２０１は、被写体の光学画像を取り込むために使用するレンズユニットであり、電源スイッチ２２３は、撮像装置２の電源をＯＦＦ／ＯＮするためのスイッチである。第１の表示部２０６は、撮影画像をプレビューしたり、ユーザインターフェースを表示したりするＬＣＤ画面である。また、第２の表示部２０８は、撮像装置２のエラーステータスなどを示すためのＬＥＤである。
【００１８】
図２は、本実施形態の印刷装置１の機能構成例及びハード構成例を示すブロック図である。
図２において、印刷装置１は、ＰＣ３またはメモリカードスロット５に挿入された不図示のメモリカードと、またはデジタルカメラ／デジタルビデオカメラなどの撮像装置２と、インターフェース１０１を介して接続されている。前記不図示のメモリカードまたは撮像装置２から入力された不図示の画像データ（例えば、ＪＰＥＧフォーマット）は、インターフェース１０１を介して、受信バッファ１０２に格納される。なお、本実施形態においては、撮像装置２側でプリントデータの生成を行うため、撮像装置２から入力されたプリントデータが受信バッファ１０２に一旦格納される。
【００１９】
受信した画像データは、第１の信号処理部１０３でリサイズや回転などの前処理を施された後、制御部１０４により、ＲＡＭ１１４またはフレームメモリ１０７に画像データを格納する。ＲＯＭ１１５には、不図示のプログラムであるグラフィック・ユーザ・インターフェース（以下、ＧＵＩと呼ぶ）が格納されている。ＣＰＵ１１３により動作したＧＵＩによって、第１の表示部１０６へプレビュー表示したり、入力部１０５を用いた部数指定などの印刷指示を行ったり、Ｎ−ＵＰやトリミングなどの画像処理関連の指定を行ったりすることが可能である。
【００２０】
なお、本実施形態においては、撮像装置２側でプリントデータの生成を行うため、第２の信号処理部１０９は、必ずしも必要な構成ではない。受信バッファ１０２に一旦格納されたプリントデータは、制御部１０４により、何も処理されずにＲＡＭ１１４またはフレームメモリ１０７に格納されるようにしてもよい。
【００２１】
ユーザにより、前記ＧＵＩによって入力部１０５から印刷指示が行われると、第２の信号処理部１０９は、フレームメモリ１０７またはＲＡＭ１１４に格納された画像データを、プリンタエンジン部１００が直接解釈できるフォーマットに画像変換する。そして、紙送りのタイミングにあわせてプリンタエンジン部１００に送信する。なお、直接解釈できるフォーマットは、例えば３色プリンタの場合、単色のシアン面、マゼンタ面、イエロー面（以下、それぞれＣｙ面、Ｍｇ面、Ｙｅ面と称す）に分版されたものである。
【００２２】
なお、本実施形態においては、プリントデータが受信されるため、第２の信号処理部１０９は、必ずしも必要な構成ではなく、プリントデータをプリンタエンジン部１００に直接送信するようにしてもよい。また、印刷指示については、撮像装置２から印刷のジョブが送信された場合は、このジョブに応じて制御部１０４が制御を行う。
【００２３】
また、印刷装置１にエラーが発生した場合は、例えば、第２の表示部１０８にＬＥＤを点滅させて、ユーザに注意を促す。なお、印刷装置１の中に保持して再利用したいプリントデータや、ダウンロード可能なテンプレートデータは、記録媒体制御部１１０を経由してハードディスクなどの記録媒体１１１もしくはリムーバブルディスク（拡張記録媒体）１１２に格納することができる。
【００２４】
図３は、本実施形態の撮像装置２の機能構成例及びハード構成例を示すブロック図である。
図３において、撮像装置２は、光学系２０１から入力された光学画像をＣＣＤ２０２で受光する。そして、第１の信号処理部２０３でリサイズや回転などの前処理を施した後、デジタル変換した不図示のデジタル画像データを、フレームメモリ２０７またはＲＡＭ２１４に格納する。
【００２５】
そして、制御部２０４によりデジタル画像の赤目補正処理を実行し、記録媒体制御部２１０を経由して、記録媒体２１１または拡張記録媒体２１２に格納する。ＲＯＭ２１５に格納された不図示のプログラムであるＧＵＩがＣＰＵ２１３により動作することによって、第１の表示部２０６へプレビュー表示を行うことができる。
【００２６】
ユーザにより、前記ＧＵＩによって入力部２０５から印刷指示が行われると、記録媒体２１１または拡張記録媒体２１２に格納された画像データを、第２の信号処理部２０９で印刷装置１が解釈できるフォーマットに画像変換する。そして、インターフェース２１６を介して印刷装置１に送信する。なお、第２の信号処理部２０９では、撮像された画像データから高輝度点（高輝度ピクセル）を検出して特色画像データを生成する処理も行う。第２の信号処理部２０９で行う処理については図２０及び図２１を参照しながら後述する。なお、高輝度点で構成される領域を２つ以上抽出するようにしてもよい。
【００２７】
また、撮像装置２にエラーが発生した場合は、例えば、第２の表示部２０８にＬＥＤを点滅させて、ユーザに注意を促す。なお、撮像装置２側のメモリカードスロット４から拡張記録媒体２１２を引き抜き、印刷装置１側のメモリカードスロット５に装着して、拡張記録媒体２１２に格納された画像データを直接印刷指定することも可能である。
【００２８】
図４〜図６は、印刷の詳しい仕組みを示す図である。
まず始めに、図５に示すように、給紙トレイ１２０から、給排紙ローラー１２８を用いて印刷装置１内に受像紙を給紙する。そして、図４に示すように、サーマルヘッド１２５とプラテンローラー１２６との間にインクシートを重ねたまま受像紙を挟み込む。
【００２９】
次に、送り側のボビン１３１から供給されるインクシートを巻き取り側のボビン１３２で巻き取りながら、ピンチローラー１２７を用いて受像紙を同じ方向にフィードする。そして同時に、サーマルヘッド１２５にタイミングよく線順次で熱を加えることにより、１枚分の単色画像を受像紙に転写する。この時、受像紙は印刷装置１の外側にはみ出しているが、ピンチローラー１２７は受像紙を挟んだまま、受像紙の位置を固定している。
【００３０】
１枚分の単色画像の転写を完了したら、受像紙を転写前の位置に戻し、次の単色画像について転写を開始する。そして、図６に示すように、全ての画像を印刷した後、排紙口１２１を通して、機外に排出する。
【００３１】
図７は、図４に示すサーマルヘッド１２５の具体的な構造例を示す図である。サーマルヘッド１２５には、入力階調数に応じた熱エネルギー量が印画パルス数に変換されて加えられる。具体的には、発熱抵抗体１３０において熱に変換される。剥離板１２９は、受像紙とインクシートとがスムーズに剥離するようにした突起部であり、最適な大きさと角度に設計されている。
【００３２】
図８は、インクシートを格納するメディアカセットの外観例を示す図である。
図８に示すように、メディアカセット１２２は、転写前のインクシートを供給するための送り側のボビン１３１と、転写後のインクシートを巻き取るための巻き取り側のボビン１３２とを有している。
【００３３】
図９は、特色に対応していない、従来のインクシートの例を示す図である。
図９に示すように、Ｙｅ面を先頭に、Ｍｇ面、Ｃｙ面、ＯＣ面（オーバーコート）の順に並んでおり、それぞれリボンマーカー（黒い線）で区切られている。Ｙｅ面の前に関しては、画面の先頭を示す２本のリボンマーカーが付されている。
【００３４】
図１０は、本実施形態における特色に対応したインクシートの例を示す図である。
図１０に示すように、図９に示すインクシートと比較して、ＯＣ面の後ろに特色面が追加されている。なお、これ以外の基本構成については従来のインクシートと同じである。なお、特色面は、後述する特色画像データを上書きするためのものである。
【００３５】
図１１は、本実施形態において、特色に対応した印画を行った後の受像紙（印画媒体）の断面を示す図である。
受像紙表面（印画面側）に染料受容層があり、昇華転写染料を受容している。前記染料受容層を覆うように、印画面全体にＯＣ層（オーバーコート）がコートされており、その上に、必要な部分に限定して、特色面から特色層を転写している。図１１では、特色ピクセル（特色層）の下地にあたる部分の染料受容層が白抜きにされている。
【００３６】
図１２は、特色ピクセルと重なる位置に存在する染料受容層について、下地白抜きを実行せずに印画した場合の例を示す図である。
図１２に示すように、特色と染料とが重なった部分について、特色の色が下地の影響を受けてしまっている。
【００３７】
図１３は、本実施形態において、特色ピクセルと重なる位置に存在する染料受容層について、下地白抜きを実行してから印画した場合の例を示す図である。
図１３に示すように、特色と染料とが重なった部分について、下地の影響を受けていない。このように下地の影響を受けないように印刷を行う手順については、図１５のフローチャートを参照しながら後述する。
【００３８】
図１４は、本実施形態の撮像装置２において、特色画像データ及びプロセスカラーの単色画像データを送信する処理手順の一例を示すフローチャートである。図１４に示す処理は、制御部２０４の制御により行われる。
撮像装置２から、インターフェース２１６を介して印刷装置１にプリントデータを送信する際に、まず始めに特色の単色画像データ（特色画像データ）を送信する（ステップＳ１６０１）。その後にプロセスカラーの単色画像データを、Ｙｅ面、Ｍｇ面、Ｃｙ面の順に面順次で送信し（ステップＳ１６０２）、処理を終了する。なお、単色画像データの生成方法については、図２０及び図２１を参照しながら後述する。
【００３９】
図１５は、本実施形態の印刷装置１において、特色画像データを受信してから印刷を行うまでの処理手順の一例を示すフローチャートである。なお、図１５に示すフローチャートの処理は、制御部１０４による制御によってプリンタエンジン部１００において行われる。
まず始めに、印刷のジョブを受信すると、図１５に示したフローチャートに基づいて、撮像装置２からプリントデータが送信される。そこでまず、特色の単色画像データ（特色画像データ）を受信したか否かを判断する（ステップＳ１７０１）。この判断の結果、特色画像データを受信していない場合は、受信するまで待機する。一方、ステップＳ１７０１の判断の結果、特色画像データを受信した場合は、受信した特色の単色画像データから、特色が印刷される画素（特色オンピクセル）の座標位置を読み出し、ＲＡＭ１１４に記録する（ステップＳ１７０２）。
【００４０】
次に、プロセスカラーのＹｅ面の単色画像データを受信したか否かを判断する（ステップＳ１７０３）。この判断の結果、Ｙｅ面の単色画像データを受信していない場合は、受信するまで待機する。一方、ステップＳ１７０３の判断の結果、Ｙｅ面の単色画像データを受信した場合は、前記特色オンピクセルの座標位置に対応するＹｅ面のピクセルを検索して、白（信号を「０」）に置換して白抜き処理を行う（ステップＳ１７０４）。そして、一面分の置換処理（白抜き処理）が完了したら、Ｙｅ面を印画する（ステップＳ１７０５）。
【００４１】
次に、プロセスカラーのＭｇ面の単色画像データを受信したか否かを判断する（ステップＳ１７０６）。この判断の結果、Ｍｇ面の単色画像データを受信していない場合は、受信するまで待機する。一方、ステップＳ１７０６の判断の結果、Ｍｇ面の単色画像データを受信した場合は、前記特色オンピクセルの座標位置に対応するＭｇ面のピクセルを検索して白（信号を「０」）に置換して白抜き処理を行う（ステップＳ１７０７）。そして、一面分の置換処理（白抜き処理）が完了したら、Ｍｇ面を印画する（ステップＳ１７０８）。
【００４２】
次に、プロセスカラーのＣｙ面の単色画像データを受信したか否かを判断する（ステップＳ１７０９）。この判断の結果、Ｃｙ面の単色画像データを受信していない場合は、受信するまで待機する。一方、ステップＳ１７０９の判断の結果、Ｃｙ面の単色画像データを受信した場合はそして、前記特色オンピクセルの座標位置に対応するＣｙ面のピクセルを検索して白（信号を「０」）に置換して白抜き処理を行う（ステップＳ１７１０）。そして、一面分の置換処理（白抜き処理）が完了したら、Ｃｙ面を印画する（ステップＳ１７１１）。
【００４３】
次に、有効印画領域全体に、印画物の耐侯性を向上させるためのＯＣ面（オーバーコート）を印画する（ステップＳ１７１２）。そして最後に、特色オンピクセルの部分だけに、特色面を印画して（ステップＳ１７１３）、処理を終了する。
【００４４】
図１６は、ＰＣ３から印刷を指定して特色画像を印刷する際のデータの流れを示す説明図である。
ＰＣ３上で動作する不図示の画像処理アプリによって作成された画像は、ＲＧＢ画像と特色画像との両方を持つ。印刷を指定すると、ＰＣ３は、前記ＲＧＢ画像と特色画像とをＣＭＹデータと特色データとに変換する。そして、印刷装置１に対して、図１４に示す処理手順と同様に、まず始めに特色の単色画像データを送信し、続いてＹｅ面、Ｍｇ面、Ｃｙ面の順に、面順次で各色の単色画像データを送信する。
【００４５】
図１７は、撮像装置２から印刷を指定して特色画像を印刷する際に、プリンタエンジン部１００が直接解釈可能なＲＡＷ画像データを撮像装置２側で作成するケースにおける、データの流れを示す説明図である。
撮像装置２において、印刷を指定すると、撮像装置２内の記録媒体２１１または拡張記録媒体２１２に保持されたＪＰＥＧ画像及び特色画像に対して、リサイズや回転を含めた各種画像処理を行う。そして、プリンタエンジン部１００の仕様に合わせた画像フォーマット変換を行い、Ｙｅ、Ｍｇ、Ｃｙの各色の単色ＲＡＷ画像データと、特色の単色ＲＡＷ画像データとを作成する。そして、印刷装置１に対して、図１４に示す処理手順と同様に、まず始めに特色の単色ＲＡＷ画像データを送信し、続いてＹｅ面、Ｍｇ面、Ｃｙ面の順に、面順次で各色の単色ＲＡＷ画像データを送信する。
【００４６】
図１８は、撮像装置２から印刷を指定して特色画像を印刷する際に、ファイル転送プロトコルを利用してＪＰＥＧ形式の画像ファイルを印刷装置１に送るケースにおける、データの流れを示す説明図である。
撮像装置２に保持されたＪＰＥＧ画像及び特色画像に対してダイレクト印刷を指定すると、前記ＪＰＥＧ画像に特色画像を関連付けて、印刷用にフォーマットし直したＪＰＥＧ画像ファイルを生成し、印刷装置１に対して該ＪＰＥＧ画像ファイルを送信する。なお、本実施形態で定義するダイレクト印刷とは、ＰＣを介さず、撮像装置２から印刷装置１にプリントデータを直接送って印刷を実行する印刷形態のことを指す。
【００４７】
次に、撮像装置２において特色の単色画像データ（特色画像データ）を生成する手順について、図２０及び図２１を参照しながら説明する。図２０は、本実施形態において、撮像した画像データから少なくとも１つの高輝度ピクセルで構成される領域を抽出し、特色画像データを生成して特色画像を印刷する処理手順の一例を示すフローチャートである。また、図２１は、本実施形態の撮像装置２における第２の信号処理部２０９の具体的な機能構成例を示すブロック図である。なお、図２０に示すフローチャートの処理（ステップＳ２２０８は除く）は、制御部２０４による制御によって行われる。
【００４８】
まず、高輝度ピクセル検出部２４１において、記録媒体２１１または拡張記録媒体２１２に格納された画像データを読み出し、前記画像データの中から少なくとも１つの高輝度ピクセルを検出する（ステップＳ２２０１）。次に、孤立点領域抽出部２４２は輪郭線抽出手段として機能し、ステップＳ２２０１で検出した少なくとも１つの高輝度ピクセルから、点をグループ化して輪郭線を抽出する（ステップＳ２２０２）。そして、孤立点領域抽出部２４２は領域抽出手段として機能し、抽出した輪郭線から、星型などの特定形状の特色データに置き換えるべき領域を抽出する。本ステップでは予め決めた基準に基づき、丸くて高輝度でサイズの小さい閉領域（孤立点領域）を抽出する（ステップＳ２２０３）。なお、この基準は本実施形態に記載の基準と異なるものでもよい。
【００４９】
次に、特定図形置換部２４３は特色置換手段として機能し、ステップＳ２２０３で抽出した丸くて高輝度でサイズの小さい閉領域を特定図形に置き換えを行う（ステップＳ２２０４）。なお、特定図形については、予め設定された特定図形を用いてもよいし、画像データの内容に応じて特定図形を変更するようにしてもよい。次に、特色置換部２４４は特色置換手段として機能し、置き換えた特定図形の色を所定色（例えば、より目立つ金色や銀色等の光沢色、蛍光ピンクや蛍光オレンジなどの蛍光色などの特色）に置き換える（ステップＳ２２０５）。そして、特色画像データ生成部２４５において、前記特色で置き換えた特定図形を、二値の信号データである特色画像データに変換し、プリントデータ生成部２４６に送る（ステップＳ２２０６）。
【００５０】
次に、プリントデータ生成部２４６において、記録媒体２１１または拡張記録媒体２１２に格納された画像データを読み出して、Ｙｅ面、Ｍｇ面、及びＣｙ面についての単色画像データをそれぞれ生成する。そして、これらの単色画像データ及び特色画像データ生成部２４５から送られた特色画像データをプリントデータとして記録媒体２１１または拡張記録媒体２１２に一時保管して、印刷装置１に送信する（ステップＳ２２０７）。なお、記録媒体２１１または拡張記録媒体２１２に一時保管せずに、印刷装置１に直接送信するようにしてもよい。
【００５１】
次に、印刷装置１側では、プリンタエンジン部１００により、図１５に示すフローチャートに従って、特色以外の単色画像データを先に印刷し、後追いで前記特色画像データを上書き印刷する（ステップＳ２２０８）。そして、処理を終了する。
【００５２】
なお、図１９は、図２０に示す処理手順を具体的な画像を用いて説明した図である。
図１９（ａ）は、撮像装置２の記録媒体２１１または拡張記録媒体２１２に格納された未処理の画像データを示し、図１９（ｂ）は、ステップＳ２２０１で前記画像データの中から検出された高輝度ピクセルを示している。
【００５３】
図１９（ｃ）は、ステップＳ２２０２で前記高輝度ピクセルから点をグループ化して抽出された輪郭線を示し、図１９（ｄ）は、ステップＳ２２０３で前記輪郭線から抽出された丸くて白くサイズの小さい閉領域（孤立点領域）を示している。図１９（ｅ）は、ステップＳ２２０４で前記閉領域から置き換えた特定図形を示し、図１９（ｆ）は、ステップＳ２２０５で金色、銀色、蛍光色などの特色に置き換えた特定図形を示している。
【００５４】
また、図１９（ｇ）は、ステップＳ２２０６で変換した二値の特色画像データを示し、図１９（ｈ）は、ステップＳ２２０８で特色以外の画像データの上に前記二値の特色画像データを重ね合わせた結果の画像を示している。
【００５５】
以上のように本実施形態においては、撮像装置２側で、画像データの中から高輝度ピクセルを検出し、検出した高輝度ピクセルから構成される孤立点領域を含む画像領域を所定の色及び所定の形状に置き換えた特色画像データを生成する。そして、前記画像データからプロセスカラーの単色画像データを生成して、印刷装置１に送信するようにした。これにより、輝度が高くてサイズの小さい閉領域を印象強くすることができる。したがって、人物が写っていない画像に対しても印象の強い印画物を得ることができる。
【００５６】
なお、本実施形態においては、撮像装置２側でプロセスカラーの単色画像データを生成するようにしたが、特色画像データのみを撮像装置２側で生成し、プロセスカラーの単色画像データの生成を印刷装置１側で行うようにしてもよい。この場合、撮像装置２の記録媒体２１１または拡張記録媒体２１２に格納された未処理の画像データを印刷装置１に送信し、印刷装置１側の第２の信号処理部１０９において、受信した画像データからプロセスカラーの単色画像データを生成するようにすればよい。
【００５７】
また、本実施形態においては、特定図形置換部２４３において所定の形状に置き換え、特色置換部２４４において所定の色に置き換えた。一方、特定図形置換部２４３による特定図形への置き換えのみを行ったり、または特色置換部２４４による特色への置き換えのみを行ったりするようにしてもよい。なお、特色置換部２４４による特色への置き換えのみを行う場合は、孤立点領域抽出部２４２において、ステップＳ２２０１で検出した少なくとも１つの高輝度ピクセルから点をグループ化して、特定図形を形成するように孤立点領域を抽出するようにしてもよい。
【００５８】
（第２の実施形態）
第１の実施形態では、撮像装置２側で印刷を指定すると、特色画像データ及び特色以外の単色画像データを生成して印刷装置１に送信した。ところが、特色に対応したインクシートを格納したメディアカセットが印刷装置１に装着されていない場合は、特色画像を印刷することができない。そこで本実施形態では、特色に対応したインクシートを格納したメディアカセットが印刷装置１に装着されていないときは、特色置き換え処理を実行できないように、ユーザインターフェース側で制限している。
【００５９】
具体的には、例えば、印刷装置１と撮像装置２とが互いに接続された時に、撮像装置２は、特色に対応したインクシートが装着されているか否かの情報を印刷装置１から受け取る。そして、受け取った情報を基に、特色に対応したインクシートが装着されていない場合は、第１の表示部２０６にその旨を表示したり、特色に対応した印刷指示を行うことができないようにしたりする。
【００６０】
（第３の実施形態）
撮像装置２で撮影した入力画像には、撮影情報が通常は付随されている。本実施形態では、例えば、撮影情報が「夜景モード」であった場合は、夜空に関連のある「星型印」を特定図形として選択し、「山岳モード」であれば、日の出や日の入りに関連のある「十字型印」を特定図形として選択するようにしている。
【００６１】
この場合、特定図形置換部２４３は、画像データに追記されている撮像情報を基に特定図形を決定し、決定した特定図形を用いて孤立点領域を特定図形に置き換えるようにしている。また、撮影情報によっては特定図形に置き換えず、特色画像データを生成しないようにしてもよい。
【００６２】
（第４の実施形態）
本実施形態では、置き換えに使用する特定図形の形状や大きさを、元の領域（孤立点領域）の形状や輝度条件に応じて変更することができる。例えば、元の領域の形状が通常より大きかった場合は、その大きさに比例して置き換えに使用する特定図形も大きくする。また、輝度条件が特別に高かった場合は、「十字型印」のクロスフィルター部分の伸びを、通常より長くする。
【００６３】
例えば、特定図形の大きさを変更する場合には、孤立点領域抽出部２４２で抽出された孤立点領域の形状または大きさによって、特定図形置換部２４３は、特定図形の拡大または縮小を行う。この時、孤立点領域の形状または大きさに対応した倍率をテーブルとして予め保持するようにしてもよい。
【００６４】
また、特定図形の形状を変更する場合には、高輝度ピクセル検出部２４１は、高輝度ピクセルを検出するとともに輝度情報を画像データから取得し、特定図形置換部２４３に渡すようにする。特定図形置換部２４３は、輝度情報を基に特定図形の形状を変更する。この時、輝度情報に対応した特定図形の形状をテーブルとして予め保持するようにしてもよい。
【００６５】
（第５の実施形態）
第４の実施形態においては、置き換えに使用する特定図形の形状や大きさを、元の領域（孤立点領域）の形状や輝度条件に応じて変更した。本実施形態では、さらに、置き換えに使用する特定図形は、元の領域より大きく、覆いかぶさるようにする。これにより、置き換えた特定図形と下地画像との間に隙間が見えるのを防止することができる。
【００６６】
（第６の実施形態）
第１〜第５の実施形態では、撮像装置２で特色領域の抽出、特色画像データへの変換、及びプリントデータの作成を行っていたが、これらの処理を印刷装置１で行ってもよい。つまり、デジタルカメラ等の撮像装置２と通信する印刷装置１が、例えばＪＰＥＧ形式で圧縮された画像データを受信し、この画像データを解析する。そして、第１〜第５の実施形態と同様の画像処理を行って特色領域を抽出するように構成してもよい。なお、このような動作を行うのは、デジタルカメラ等の撮像装置から受信したジョブ中に、特色画像データへ変換することを指示する情報が記載されている場合とする。または、印刷装置１の入力部１０５から、特色画像データへ変換することが指示されている場合とする。
【００６７】
印刷装置１において特色の単色画像データ（特色画像データ）を生成する手順について、図２２及び図２３を参照しながら説明する。図２２は、本実施形態の印刷装置１における第２の信号処理部１０９の具体的な機能構成例を示すブロック図である。また、図２３は、本実施形態において、撮像した画像データを受信して高輝度ピクセルを検出し、特色画像データを生成して特色画像を印刷する処理手順の一例を示すフローチャートである。なお、図２３に示すフローチャートの処理は、制御部１０４による制御によって行われる。
【００６８】
図２３において、まず、インターフェース１０１を介して撮像装置２と接続されたか否かを判断する（ステップＳ２３０１）。この判断の結果、撮像装置２と接続されていない場合は、接続されるまで待機する。一方、ステップＳ２３０１の判断の結果、撮像装置２と接続された場合は、撮像装置２とネゴシエーションして通信を確立する（ステップＳ２３０２）。この時、撮像装置２から撮像装置の能力（解像度など）を取得する。
【００６９】
次に、印刷を指示するジョブを撮像装置２から受信したか否かを判断する（ステップＳ２３０３）。この判断の結果、ジョブを受信していない場合は、受信するまで待機する。一方、ステップＳ２３０３の判断の結果、ジョブを受信した場合は、画像データ（前述した撮影情報などの画像属性データを含む）を撮像装置２に対して要求する。
【００７０】
次に、要求した画像データを受信したか否かを判断する（ステップＳ２３０５）。この判断の結果、画像データを受信していない場合は、画像データを受信するまで待機する。一方、ステップＳ２３０５の判断の結果、画像データを受信した場合は、ステップＳ２３０３で受信したジョブを解析し、特色画像データを生成するように特色変換の指示があるか否かを判断する（ステップＳ２３０６）。この判断の結果、特色変換の指示がない場合は、特色画像データを作成しないため、ステップＳ２３１１に進む。
【００７１】
一方、ステップＳ２３０６の判断の結果、特色変換の指示がある場合は、ステップＳ２３０５で受信した画像属性データの中の撮影情報から画像データの撮影モードを解析する（ステップＳ２３０７）。次に、高輝度ピクセル検出部１４１において、画像解析を行い、ステップＳ２３０５で受信した画像データの中から少なくとも１つの高輝度ピクセルを検出する（ステップＳ２３０８）。
【００７２】
次に、孤立点領域抽出部１４２は輪郭線抽出手段として機能し、ステップＳ２３０８で検出した少なくとも１つの高輝度ピクセルから、点をグループ化して輪郭線を抽出する。そして、孤立点領域抽出部１４２は領域抽出手段として機能し、抽出した輪郭線から、丸くて白くサイズの小さい閉領域（孤立点領域）を抽出する（ステップＳ２３０９）。次に、特定図形置換部１４３は特色置換手段として機能し、ステップＳ２３０９で抽出した丸くて白くサイズの小さい閉領域をステップＳ２３０７で解析した撮影モードに応じた特定図形に置き換える。そして、特色置換部１４４は特色置換手段として機能し、置き換えた特定図形の色を、より目立つ金色、銀色、蛍光色などの特色に置き換える。そして、特色画像データ生成部１４５において、前記特色で置き換えた特定図形を、二値の信号データである特色画像データに変換して、プリントデータ生成部１４６に送る（ステップＳ２３１０）。
【００７３】
次に、プリントデータ生成部１４６において、ステップＳ２３０５で受信した画像データを基に、Ｙｅ面、Ｍｇ面、及びＣｙ面についての単色画像データをそれぞれ生成する。そして、これらの単色画像データ及び特色画像データ生成部１４５から送られた特色画像データをプリントデータとしてプリンタエンジン部１００に送る（ステップＳ２３１１）。
【００７４】
次に、プリンタエンジン部１００において、図１５に示すフローチャートに従って、特色以外の単色画像データを先に印刷し、後追いで前記特色画像データを上書き印刷する（ステップＳ２２０８）。そして、処理を終了する。なお、特色画像データを生成しない場合は、特色以外の単色画像データを印刷して処理を終了する。
【００７５】
なお、ステップＳ２３０６において、ジョブを解析した結果、特色変換の指示がない場合であっても、印刷装置１の入力部１０５から、特色画像データへ変換することが指示されている場合は、ステップＳ２３０７に進むようにする。
【００７６】
以上のように本実施形態においては、印刷装置１側で特色領域の抽出、特色画像データへの変換、及びプリントデータの生成を行うようにしたので、撮像装置２側では、撮像した画像データを送信するだけで、印象の強い印刷画像を得ることができる。
【００７７】
（第７の実施形態）
第１〜第５の実施形態では、撮像装置２側で特色領域の抽出、特色画像データへの変換、及びプリントデータの作成を行い、第６の実施形態では、印刷装置１側で特色領域の抽出、特色画像データへの変換、及びプリントデータの生成を行った。一方、特色領域の抽出までを撮像装置２で行い、特色変換すべき領域の中心位置情報と、特定図形の形状（星型、十字クロス、丸、三角、四角等）、及び特定図形の大きさについての情報とを印刷装置１にジョブと一緒に通知するようにしてもよい。
【００７８】
この場合、このジョブを受けた印刷装置１は、特色変換すべき領域の中心位置情報と、特定図形の形状（星型、十字クロス、丸、三角、四角等）、及び特定図形の大きさについての情報とに基づいて、特色画像データへの変換及びプリントデータの生成を行う。そして、第６の実施形態と同様に印刷処理を行う。
【００７９】
以上のように第６及び第７の実施形態によれば、カメラからのダイレクト印刷においても、ユーザが難しい画像処理プログラムを操作しなくても、簡単な指示のみで特色を使った楽しいプリントを実現することが可能となる。なお、カメラ及びプリンタの能力を比較して、第６の実施形態のようにプリンタ側で特色領域を抽出するか、第７の実施形態のようにカメラ側で特色領域を抽出するかを設定できるようにしてもよい。
【００８０】
（本発明に係る他の実施形態）
前述した本発明の実施形態における画像処理装置を構成する各手段、並びに画像処理方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００８１】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００８２】
なお、本発明は、前述した実施形態の機能を実現するソフトウェアのプログラム（実施形態では図１４、１５、２０、２３に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００８３】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００８４】
その場合、プログラムの機能を有していれば、オブジェクトコード、インタプリタにより実行されるプログラム、ＯＳに供給するスクリプトデータ等の形態であってもよい。
【００８５】
プログラムを供給するための記録媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００８６】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００８７】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００８８】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００８９】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００９０】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００９１】
【図１】本発明の第１の実施形態における全体構成の一例を示す外観図である。
【図２】本発明の第１の実施形態における印刷装置の機能構成例を示すブロック図である。
【図３】本発明の第１の実施形態における撮像装置の機能構成例を示すブロック図である。
【図４】本発明の第１の実施形態において、印刷の詳しい仕組みの一例を示す図である。
【図５】本発明の第１の実施形態において、印刷装置の給紙の仕組みの一例を示す図である。
【図６】本発明の第１の実施形態において、印刷装置の排紙の仕組みの一例を示す図である。
【図７】本発明の第１の実施形態において、サーマルヘッドの詳細な構造の一例を示す図である。
【図８】本発明の第１の実施形態において、メディアカセットの仕組みの一例を示す外観図である。
【図９】従来のメディアカセットに含まれるインクシートの一例を示す図である。
【図１０】本発明の第１の実施形態におけるメディアカセットに含まれるインクシートの一例を示す図である。
【図１１】本発明の第１の実施形態において、印字後の受像紙の断面の一例を示す図である。
【図１２】下地を白抜きしなかった場合における特色の印刷例を示す図である。
【図１３】下地を白抜きした場合における特色の印刷例を示す図である。
【図１４】本発明の第１の実施形態において、特色画像データ及びプロセスカラーの単色画像を撮像装置から印刷装置に送信する処理手順の一例を示すフローチャートである。
【図１５】本発明の第１の実施形態の印刷装置において、特色画像データを受信してから印刷を行う処理手順の一例を示すフローチャートである。
【図１６】本発明の第１の実施形態において、ＰＣから印刷を指定して特色画像を印刷する際のデータの流れを示す説明図である。
【図１７】本発明の第１の実施形態において、撮像装置から印刷を指定して特色画像を印刷する際に、撮像装置側でプリンタエンジン部が直接解釈可能なＲＡＷ画像データを作成するケースにおける、データの流れを示す説明図である。
【図１８】本発明の第１の実施形態において、撮像装置から印刷を指定して特色画像を印刷する際に、ファイル転送プロトコルを利用してＪＰＥＧ形式の画像ファイルを印刷装置に送るケースにおけるデータの流れを示す説明図である。
【図１９】本発明の第１の実施形態において、撮像した画像データから高輝度ピクセルを検出し、特色画像データを生成して特色画像を印刷する処理手順の一例を具体的な画像を用いて説明した図である。
【図２０】本発明の第１の実施形態において、撮像した画像データから高輝度ピクセルを検出し、特色画像データを生成して特色画像を印刷する処理手順の一例を示すフローチャートである。
【図２１】本発明の第１の実施形態の撮像装置の第２の信号処理部の具体的な機能構成例を示すブロック図である。
【図２２】本発明の第６の実施形態の印刷装置の第２の信号処理部の具体的な機能構成例を示すブロック図である。
【図２３】本発明の第６の実施形態の印刷装置において、撮像した画像データから高輝度ピクセルを検出し、特色画像データを生成して特色画像を印刷する処理手順の一例を示すフローチャートである。
【符号の説明】
【００９２】
１  印刷装置
２  撮像装置
３  ＰＣ
４  メモリカードスロット
５  メモリカードスロット
１０１  インターフェース
１０２  受信バッファ
１０３  第１の信号処理部
１０４  制御部
１０５  入力部
１０６  第１の表示部
１０７  フレームメモリ
１０８  第２の表示部
１０９  第２の信号処理部
１１０  記録媒体制御部
１１１  記録媒体
１１２  拡張記録媒体
１１３  ＣＰＵ
１１４  ＲＡＭ
１１５  ＲＯＭ
１２０  給紙トレイ
１２１  排紙口
１２２  メディアカセット
１２３  プリント実行ボタン
１２４  電源スイッチ
１２５  サーマルヘッド
１２６  プラテンローラー
１２７  ピンチローラー
１２８  給排紙ローラー
１２９  剥離板
１３０  発熱抵抗体
１３１  送り側のボビン
１３２  巻き取り側のボビン
１４１  高輝度ピクセル検出部
１４２  孤立点領域抽出部
１４３  特定図形置換部
１４４  特色置換部
１４５  特色画像データ生成部
１４６  プリントデータ生成部
２０１  光学系
２０２  ＣＣＤ
２０３  第１の信号処理部
２０４  制御部
２０５  入力部
２０６  第１の表示部
２０７  フレームメモリ
２０８  第２の表示部
２０９  第２の信号処理部
２１０  記録媒体制御部
２１１  記録媒体
２１２  拡張記録媒体
２１３  ＣＰＵ
２１４  ＲＡＭ
２１５  ＲＯＭ
２１６  インターフェース
２２３  電源スイッチ
２４１  高輝度ピクセル検出部
２４２  孤立点領域抽出部
２４３  特定図形置換部
２４４  特色置換部
２４５  特色画像データ生成部
２４６  プリントデータ生成部
３０１  インターフェースケーブル
【図１】
2008283574.tif 000003
【図２】
2008283574.tif 000004
【図３】
2008283574.tif 000005
【図４】
2008283574.tif 000006
【図５】
2008283574.tif 000007
【図６】
2008283574.tif 000008
【図７】
2008283574.tif 000009
【図８】
2008283574.tif 000010
【図９】
2008283574.tif 000011
【図１０】
2008283574.tif 000012
【図１１】
2008283574.tif 000013
【図１２】
2008283574.tif 000014
【図１３】
2008283574.tif 000015
【図１４】
2008283574.tif 000016
【図１５】
2008283574.tif 000017
【図１６】
2008283574.tif 000018
【図１７】
2008283574.tif 000019
【図１８】
2008283574.tif 000020
【図１９】
2008283574.tif 000021
【図２０】
2008283574.tif 000022
【図２１】
2008283574.tif 000023
【図２２】
2008283574.tif 000024
【図２３】
2008283574.tif 000025